(57)【要約】【課題】元来の免震機能を発揮する他、垂直震動緩和の効果を持つことを特徴とする構造物免震不倒基部を提供する。【解決手段】本考案の構造物免震不倒基部は、ＵＦＯ形状の不倒免震基部本体を含み、それは、構造物とその積載基礎が水平移動する場合の緩衝作用を起こし、並びに相対する垂直変位も小さくすることができ、震動した構造物を元の位置に戻す機能も具える。また、不倒免震基部本体底部に設けた滑り止め軸孤形空間は、設置した滑り止め軸が自由に動ける空間であり、震動設計限界を超えた場合に、不倒免震基部本体が水平推移するのを防ぐ。実施例においては、不倒免震基部本体上に碗状バネを設けると、垂直震動緩和の機能を提供できる。【選択図】図１
0003123586.tif 000002
【実用新案登録請求の範囲】
【請求項１】
構造物免震装置の不倒免震基部本体は、ＵＦＯに似た形状をなしており、回転滑動可能な上回転球面と回転転がり可能な下回転揺れ線弧形面を含んでおり、上回転球面の半径は比較的小さく、下回転揺れ線弧形面の半径は比較的大きくなっていることを特徴とする構造物免震不倒基部。
【請求項２】
請求項１記載の構造物免震不倒基部において、前記不倒免震基部本体の底部には、滑り止め軸が自由に動ける滑り止め軸孤形空間を設けることを特徴とする構造物免震不倒基部。
【考案の詳細な説明】
【技術分野】
【０００１】
本考案は、土木建築、機械工程等関連分野において用いる免震装置であり、不倒免震基部本体は、ＵＦＯ形に似た特定形状を成し、滑り止め軸を設ける空間を持つ。
【背景技術】
【０００２】
現在の構造物の免震には、鉛プラグ入りゴム、摩擦型免震装置等製品がメインとしてあり、それらと本考案の形状及び装置技術には相当な差異が見られるが、免震の目的と原理は同様である。一般の免震製品の主な免震原理は、各装置を用いて、構造物に震動源の震動周期よりも長い揺れ周期を持たせて免震目的を達成することにある。一般の機械と震動領域においては、揺れ動く装置に異なる横揺れ半径を持たせ、揺れ周期を引き伸ばすことが周知の技術である。
【考案の開示】
【考案が解決しようとする課題】
【０００３】
本考案の構造物免震不倒基部は、構造物の震動影響を抑制する為の免震装置であり、主な内容と効果は、下記に示すとおりである。図１及び図２を参照とする。
１.本考案は、構造物免震装置の不倒免震基部本体１であり、一般に知られるＵＦＯ形状をなし、並びに不倒免震基部本体１は、回転滑動可能な上回転球面５と回転転がり可能な下回転揺れ線弧型面６を含んでおり、上回転球面５の半径は比較的小さく、下回転揺れ線弧型面６の半径は比較的大きくなっている。上回転球面５は構造物に予め設けた半径大小が同様な接合面に緊密に接触しており、下回転揺れ線弧型面６は滑動基面２に接触している。
２.不倒免震基部本体１が回転する場合、不倒免震基部本体１は滑動基面２に対して水平移動する他、不倒免震基部本体１が転がり方式で移動する為、発生する摩擦力は比較的小さく、回転方式による水平移動が簡単にできる。一般には滑動摩擦が相対して大きくなる故、相対して震動が小さくなる条件において水平滑動は起こりにくい。
３.不倒免震基部本体１は、回転半径が比較的小さい上回転球面５と、回転半径の比較的大きい下回転揺れ線弧型面６を有しており、この設計により不倒免震基部本体１は震動源より大きい揺れ周期を持つことができる故、免震目的を達成する。同時に、不倒免震基部本体１が回転移動する場合、移動前の上回転球面中心７と移動後の上回転球面中心８は幾何関係を示し、不倒免震基部本体１は比較的大きな水平移動と比較的小さな垂直移動を起こす。
４.移動前後の不倒免震基部本体１の位置を比較すると幾何関係を示しており、移動後の上回転球面中心８は、移動後の積載点垂線９から常に離れた位置にある。移動位置が大きくなればなる程、離れる量も大きくなり、不倒免震基部本体１は自動的に元の位置に回復する機能を持つ。
５.震動条件において、不倒免震基部本体１は滑動を起こさないよう設計されているが、震動設計の条件を超える特殊状況を考慮し、安全性を更に高める為に不倒免震基部本体１底部には滑り止め軸３を設けている。不倒免震基部本体１回転時の幾何関係を観察すると、孤面型の滑り止め軸孤形空間４は良好な移動空間条件を示している。
【０００４】
一般の免震装置に防震装置を組み合わせて運用したなら、全体構造物の耐震条件を向上させることができる故、構造物に垂直震動バネを直接設置して全体の防震案にマッチさせる方式を、実務運用上において特に提案する。
【課題を解決するための手段】
【０００５】
請求項１の考案は、構造物免震装置の不倒免震基部本体は、ＵＦＯに似た形状をなしており、回転滑動可能な上回転球面と回転転がり可能な下回転揺れ線弧形面を含んでおり、上回転球面の半径は比較的小さく、下回転揺れ線弧形面の半径は比較的大きくなっていることを特徴とする構造物免震不倒基部としている。
請求項２の考案は、請求項１記載の構造物免震不倒基部において、前記不倒免震基部本体の底部には、滑り止め軸が自由に動ける滑り止め軸孤形空間を設けることを特徴とする構造物免震不倒基部としている。
【考案の効果】
【０００６】
本考案の不倒免震基部本体は、元来の免震機能を発揮する他、垂直震動緩和の効果を持つことを特徴とする。
【考案を実施するための最良の形態】
【０００７】
本考案の構造物免震不倒基部の良好な実施例の一つは、碗状バネを具えた構造物積載体装置であり、また、滑り止め軸３は、本考案の装置に設けられたもので、それは本考案の基本免震機能を発揮する他、垂直震動緩和の効果を持つ。図３〜図１３を参照にして各図の内容を以下に詳しく説明する。
１.不倒免震基部本体１は、上回転球面５、下回転揺れ線弧形面６、及び、滑り止め軸孤形空間４を含んでおり、その滑り止め軸孤形空間４は、滑り止め軸３が自由に動ける空間を提供する。不倒免震基部本体１は、滑動基面２において往復、転がり、横揺れ運動することを主とし、自動的に元の位置に戻る機能も具えている。
２.碗状バネ１５に結合する回転可能積載部１４は不倒免震基部本体１上に直接設けられ、不倒免震基部本体１と構造物の連結をなし、垂直震動緩和機能を提供する。
３.図４に示したのは、装置全体の移動前後相対位置であり、水平移動に非常に大きな効果を持つことが明らかにされている。
【０００８】
図１４に示したのは別の実施例であり、上回転球１７を含む構造物不倒基部装置方式であり、それは主に基部内側にへこんだ滑動面を外側に突出する滑動面に調整するものである。
【０００９】
図１５は、また別の実施例であり、その碗状バネ２１と柱状結合部２０を含む構造物免震不倒基部装置は主に、碗状バネ２１またはボルトバネを設置することも可能であり、柱状結合部２０は、一定の平面面積の条件の下、垂直運動の長さは非常に大きいものとなる。
【図面の簡単な説明】
【００１０】
【図１】本考案に関する、滑り止め軸を設けた不倒免震基部本体である。
【図２】本考案に関する、不倒免震基部本体の回転前後見取図である。
【図３】本考案に関する、滑り止め軸と碗状バネを設けた不倒免震基部本体である。
【図４】本考案に関する、滑り止め軸と碗状バネを設けた不倒免震基部本体の回転前後見取図である。
【図５】本考案に関する、滑り止め軸が動く空間として予め設けた滑り止め軸孤形空間を示す不倒免震基部本体頂面図である。
【図６】本考案に関する、滑り止め軸が動く空間として予め設けた滑り止め軸孤形空間を示す不倒免震基部本体正面図である。
【図７】本考案に関する、滑り止め軸が動く空間として予め設けた滑り止め軸孤形空間を示す不倒免震基部本体側面図である。
【図８】本考案に関する、上回転球面に合わせて回転する碗状バネの底面図である。
【図９】本考案に関する、上回転球面に合わせて回転する碗状バネの正面図である。
【図１０】本考案に関する、上回転球面に合わせて回転する碗状バネの側面図である。
【図１１】本考案に関する、上部が円球状である軸の頂面図である。
【図１２】本考案に関する、上部が円球状である軸の正面図である。
【図１３】本考案に関する、上部が円球状である軸の側面図である。
【図１４】外側に突出した形の上回転球面の不倒免震基部本体の見取図である。
【図１５】碗状バネと柱状結合部を含む不倒免震基部本体の見取図である。
【符号の説明】
【００１１】
１    不倒免震基部本体
２    滑動基面
３    滑り止め軸
４    不倒免震基部本体に予め設けた滑り止め軸孤形空間
５    不倒免震基部本体の上回転球面
６    不倒免震基部本体の下回転揺れ線弧形面
７    不倒免震基部本体移動前の上回転球面中心
８    不倒免震基部本体移動後の上回転球面中心
９    不倒免震基部本体移動後の積載点垂線
１０  上回転球面の動きにマッチする碗状バネ
１１  構造物
１２  回転前構造物の位置
１３  回転後構造物の位置
１４  碗状バネに結合する回転可能積載部
１５  碗状バネ
１６  不倒免震基部本体の上回転球面に密着する回転可能積載部表面
１７  不倒免震基部本体に固定した上回転球
１８  上回転球面構造にマッチする構造物
１９  上回転球面
２０  端部に上回転球面を設けた柱状結合部
２１  碗状バネ
２２  柱状結合部構造にマッチした構造物
【図１】
0003123586.tif 000003
【図２】
0003123586.tif 000004
【図３】
0003123586.tif 000005
【図４】
0003123586.tif 000006
【図５】
0003123586.tif 000007
【図６】
0003123586.tif 000008
【図７】
0003123586.tif 000009
【図８】
0003123586.tif 000010
【図９】
0003123586.tif 000011
【図１０】
0003123586.tif 000012
【図１１】
0003123586.tif 000013
【図１２】
0003123586.tif 000014
【図１３】
0003123586.tif 000015
【図１４】
0003123586.tif 000016
【図１５】
0003123586.tif 000017